(57)【特許請求の範囲】
【請求項１】
キーボード部と、記憶媒体の着脱部とを有する本体と、前記本体に第一の回動軸で接合され、前記第一の回動軸を中心に開閉できる手段を有する表示部とからなる電子機器において、前記キーボード部は、前記表示部の第一の回動軸を中心に前記本体に接合されて開閉できるキーボード開閉手段を有し、前記着脱部は、前記第一の回動軸に並行な第二の回動軸を中心に開閉できる着脱部開閉手段を有し、前記キーボード部、および、前記着脱部が開いた状態で、前記記憶媒体を前記着脱部に着脱できるようにするとともに、前記着脱部は、前記記憶媒体を搭載するトレーを含み、一台のモーターで、前記着脱部の開閉手段と、前記トレーの押し出し、または、収納を行う手段を駆動するように構成された電子機器。
【請求項２】
キーボード部を、前記キーボード部の前方に設置された駆動モータによって、第一の回動軸を中心に自動的に開閉できる請求項１記載の電子機器。
【請求項３】
記憶媒体の読み書き状態を検出する検出手段を有し、この検出手段からの前記記憶媒体の読み書き動作中を示す信号出力で、キーボード部の開閉手段、着脱部の開閉手段、および、トレーの駆動モーターの動作を禁止するように構成された請求項１記載の電子機器。
【請求項４】
キーボード部を手動で開閉できる手段を有する請求項１記載の電子機器。
【請求項５】
記憶媒体の着脱部を手動で開閉できる手段と、トレーの押し出し、又は、収納を、手動で、できる手段を有する請求項１記載の電子機器。
【発明の詳細な説明】
【０００１】
【発明の属する技術分野】
本発明は、キーボードと、光ディスクなどの記憶媒体の着脱部を有する本体と、本体に対して開閉できる表示部からなる電子機器に関する。
【０００２】
【従来の技術】
光ディスクなどの記憶媒体の着脱装置として、従来、携帯型コンピュータなどの電子機器の側面に設けられた着脱部のトレーを押し出して、光ディスクを装着した後、トレーを着脱部内部に収納する方法がある。
図１２に、従来の光ディスク着脱を説明する。キーボード部３を有する本体１に対して表示部２が第一の回動軸５を中心に開閉する携帯型コンピュータにおいて、本体１の側面に記憶媒体の着脱部４のトレー７が引き出されて、記憶媒体８を着脱できる状態を示している。図１２から明らかなように、本体１の側面からトレー７を本体１から引き出した長さＬ以上の空間がなければ、記憶媒体８を着脱できない。
【０００３】
【発明が解決しようとする課題】
前述した従来の記憶媒体の着脱装置では、記憶媒体の着脱の際、電子機器の側面から、記憶媒体を搭載するトレーの長さＬの空間がないと、トレーの押し出しや記憶媒体の着脱ができない。例えば、アタッシュケースに携帯型コンピュータを入れた状態では、アタッシユケースの側面が邪魔になって、記憶媒体を交換できない。この場合、アタッシュケースから携帯型コンピュータを取り出して、記憶媒体を交換しなければならないという不便さがある。本発明は、従来の記憶媒体の着脱装置における前述の不便さを解決して、携帯型コンピュータをアタシュケースなどに収納したままで、記憶媒体を交換できる使い勝手のよい電子機器を提供することを目的とする。
【０００４】
【課題を解決するための手段】
この課題を解決するために、本発明は、電子機器の表示部とキーボード部を第一の回動軸を中心にして開閉し、キーボード部が押し上げられた状態、すなわち、開いた状態で、記憶媒体の着脱部が見え、さらに、記憶媒体の着脱部を、第一の回動軸に並行な第２の回動軸を中心に、本体に対して押し上げることにより、電子機器の正面で、記憶媒体を着脱するようにして、記憶媒体の着脱を便利にしたものである。
【０００５】
【発明の実施の形態】
本発明の請求項１に記載の発明は、キーボード部と、記憶媒体の着脱部とを有する本体と、この本体に第一の回動軸で接合され、前記第一の回動軸を中心に開閉できる手段を有する表示部とからなる電子機器において、前記キーボード部は、前記表示部の第一の回動軸を中心に前記本体に接合されて開閉できるキーボード開閉手段を有し、前記着脱部は、前記第一の回動軸に並行な第二の回動軸を中心に開閉できる着脱部開閉手段を有し、前記キーボード部、および、前記着脱部が開いた状態で、前記記憶媒体を前記着脱部に着脱できるようにするとともに、前記着脱部は、前記記憶媒体を搭載するトレーを含み、一台のモーターで、前記着脱部の開閉手段と、前記トレーの押し出し、または、収納を行う手段を駆動するように構成された電子機器で、記憶媒体の押し出しや収納が自動的に動作するので、使い勝手がよく、電子機器の記憶媒体交換が容易で便利という作用を有するものである。
【０００６】
本発明の請求項２に記載の発明は、キーボード部を、キーボード部の前方に設置された駆動モータによって、第一の回動軸を中心に自動的に開閉できる請求項１記載の電子機器で、キーボード部の開閉が自動化されているので、使い勝手がよいという作用を有するものである。
【０００７】
本発明の請求項３に記載の発明は、記憶媒体の読み書き状態を検出する検出手段を有し、この検出手段からの、前記記憶媒体の読み書き動作中を示す信号出力で、キーボード部の開閉、着脱部の開閉、および、トレーの押し出しや収納を駆動するモーターの動作を禁止するように構成された請求項１に記載の電子機器で、記憶媒体の着脱の際の誤操作によるデータ破壊や媒体破損を防止する作用を有するものである。
【０００８】
本発明の請求項４に記載の発明は、キーボード部を手動で、開閉できる手段を有する請求項１に記載の電子機器で、電子機器の電池などの電源が停電した場合、手動でキーボード部を開閉できるという作用を有するものである。本発明の請求項５に記載の発明は、記憶媒体の着脱部を手動で開閉できる手段と、手動で、トレーの押し出し、又は、収納できる手段を有する請求項１記載の電子機器で、電子機器の電池などの電源が停電した場合、手動で、記憶媒体を交換できるという作用を有するものである。
【０００９】
以下、本発明の実施例を図１〜 図１１を用いて説明する。
（実施の形態）
図１、図２は、本発明の電子機器である携帯型パーソナルコンピュータの外観斜視図で、図１は、開閉スイッチ１３の配置位置を、図２は、記憶媒体８の着脱部４の配置位置を示す。本体１に設けられた着脱部４の開閉スイッチ１３を操作することにより、先ず、キーボード部３は、本体１に対して、表示部２の開閉ができる第一の回動軸５と同一軸で、本体１に接合されて、第一の回動軸を中心として、開閉できる。次に、記憶媒体の着脱部４は、回動軸５に並行な第二の回動軸６（図７、８、９に示す）を中心に開閉できる。さらに、トレー７（図７、８、９に示す）が押し出されるので、このトレー７の上に記憶媒体８を着脱することができる。
【００１０】
図３、４、５、６は、キーボード開閉構造を示す。
駆動モータ３ａは、着脱部の開閉スイッチボタン１３の操作による信号出力により、電流が流れて回転動作をする。次に、駆動モータ３ａの回転軸の先端に固定されているプーリ３ｂが回転し、ベルト３ｃを介して、プーリ３ｄに伝動される。さらに、プーリ３ｄは、電動歯車３ｅから手動歯車３ｉに伝動される。また、電動歯車３ｅは、電動歯車３ｆ，３ｇ，３ｈへ伝動され、電動歯車３ｈに接合されたアーム３ｊを上下運動させる。このアーム３ｊは、キーボード固定台３ｋに接合され、さらに、キーボード固定台３ｋは、キーボード部３に固定されている。
【００１１】
キーボード部３が、本体１に対して閉じている状態では、図４に示すアーム３ｊは，３ｌの位置にある。キーボード部３を開ける場合、駆動モータ３ａの回転伝動により、電動歯車３ｈは回転し、図５に示すアーム３ｊは、３ｍの位置に移動し、アーム３ｊのもう一方の接合部、キーボード固定台３ｋが上へ押しあげられ、キーボード部３が、第一の回転軸５を中心として開いた状態となる。キーボード部３を閉じる場合、駆動モータ３ａを逆転させ、位置３ｍから位置３ｌへアーム３ｊを移動させる。ここで、ベルト３ｃは、キーボード部３が、不用意な力が加わり、開閉を妨害された場合、プーリ３ｂ、または、プーリ３ｄでスリップすることにより、駆動モータ３ａに不要なストレスが加わるのを防止することができる。また、電子機器の電池などの電源が停電した場合、手動歯車３ｉを回転させることにより、電動歯車３ｅ，３ｆ，３ｇ，３ｈを回転させ、同様に、キーボード部３を開閉させることができる。この場合、図６に示すセット底面の蓋１４を外すことにより、手動歯車３ｉが見え、手動による開閉操作をする。
【００１２】
図７、８、９、１０は、記憶媒体の着脱部４の構造を示す。着脱の開閉スイッチボタン１３の操作によって、キーボード部３が開いた状態の後、着脱の開閉スイッチボタン１３の操作による信号出力により、駆動モータ４ａに電流が流れ、駆動モータ４ａが回転動作をする。次に、駆動モータ４ａの回転軸の先端に固定されている歯車４ｂが回転し、傘歯車４ｃが、さらに、大歯車４ｄが回転される。先ず、着脱部４の開閉は、大歯車４ｄが軸４ｍを中心に回転することにより、大歯車４ｄの溝４ｓに接合された第一のリンク４ｅが、４ｅ’を中心に回転する。さらに、第一のリンク４ｅのもう一方の片側に接合された第一のラック４ｆが、ホルダー４ｇと並行して移動する。
【００１３】
さらに、第一のラック４ｆの一部に接合されている第二のリンク４ｈがホルダ４ｇと並行して移動、この時、第二のリンク４ｈは、回転軸４ｉを中心にベース４ｊに設けられた溝４ｌを、第二のリンク４ｈに設けられた凸部４ｋが滑らかに移動し、これらの動作により、着脱部４は、開閉される。この時、図８は、着脱部４が閉じた状態、図９は、着脱部４が開いた状態を示す。
【００１４】
次に、トレー７の押し出しは、大歯車４ｄが着脱部４を開いた後、さらに、大歯車４ｄは、軸４ｍを中心に回転する。ここで第三のリンク４ｐは、大歯車４ｄ上にある軸４ｎで接合されており、第三のリンク４ｐの片端が大歯車４ｄの溝４ｑに、もう一方の片端は第二ラック４ｒに接合されている。この時、第三のリンク４ｐは、着脱部４が開閉される際は、溝４ｑを移動しており、可動しない。また、第一のリンク４ｅは、着脱部４が開閉動作をした後は、溝４ｓの回転方向に移動するため、可動しない。大歯車４ｄが回転すると、この第三のリンク４ｐが、軸４ｎを中心に回転し、片端に接合された第二のラック４ｒがホルダ４ｇと並行して移動する。第二のラック４ｒは、トレー７と固定されているため、トレー７も移動する。トレー７の収納は、駆動モータ４ａが逆回転することにより、前述とは、逆に、トレー７は、収納され、着脱部４は、閉じた状態になる。
【００１５】
従って、駆動モータ一台４ａで、着脱部４の開閉動作とトレー７の押し出し、収納動作との二つの動作をする。また、電子機器の電池などの電源が停電した際、先ず、駆動モータ４の歯車４ｂ，４ｃは、ホルダー４ｇに、固定板４ｔと、ネジ４ｕで固定されている。固定板４ｔは、軸４ｖを中心に、ネジ４ｕを緩めることにより、回転し、大歯車４ｄから外される。これにより、大歯車４ｄは、自由に可動することができる。次に、大歯車４ｄ上に設けられた手動板４ｗを手動レバー４ｘを用いて、大歯車４ｄを回転させることにより、着脱装置４の開閉動作と、トレー７の押し出し、収納を行うことが，手動で可能となる。
【００１６】
図１０は、本体１の後面より見た図であり、手動で、着脱部４の開く動作と、トレー７の押し出しの方向を示す。これと逆の操作で、着脱部４を閉じる動作と、トレー７の収納動作をする。さらに、手動から自動にもどす際は、ネジ４ｕを締めることにより、歯車４ｃが、再び、大歯車４ｄと噛み合って、自動動作をすることができる。
【００１７】
図１１は、記憶媒体交換時のデータ保護と媒体破損防止手段の構成を示す。記憶媒体８を読み書きする装置１０のデータや制御信号がパソコン回路９と接続されている。記憶媒体８が動作中であるかいなかの検出手段１２の出力が、キーボード部及び記憶媒体着脱部の駆動モータ１１の動作をＯＮ／ＯＦＦする。
【００１８】
【発明の効果】
以上のように、本発明によれば、記憶媒体の着脱を、電子機器の正面で行うことができ、記憶媒体を搭載するトレーが、本体のサイズより大きく出っ張ることがないために、電子機器の側面に障害物がある場合やアタッシュケースに電子機器を収納した場合にも、その電子機器を操作できるという使い勝手のよい電子機器が得られる。
【図面の簡単な説明】
【図１】本発明の電子機器の外観斜視図
【図２】本発明の電子機器の外観斜視図
【図３】本発明の電子機器のキーボード押し上げ構造を示す図
【図４】本発明の電子機器のキーボード押し上げ構造を示す図
【図５】本発明の電子機器のキーボード押し上げ構造を示す図
【図６】本発明の電子機器のキーボード押し上げ構造を示す図
【図７】本発明の電子機器の記憶媒体着脱部の構造を示す図
【図８】本発明の電子機器の記憶媒体着脱部の構造を示す図
【図９】本発明の電子機器の記憶媒体着脱部の構造を示す図
【図１０】本発明の電子機器の記憶媒体着脱部の構造を示す図
【図１１】本発明の電子機器の保護手段の構成図
【図１２】従来の記憶媒体着脱電子機器の外観斜視図
【符号の説明】
１  本体
２  表示部
３  キーボード部
４  記憶媒体の着脱部
５  第一の回動軸
６  第二の回動軸
７  トレー
８  記憶媒体
１３  開閉スイッチボタン
【図１】
0003564882.tif 000002
【図２】
0003564882.tif 000003
【図３】
0003564882.tif 000004
【図４】
0003564882.tif 000005
【図５】
0003564882.tif 000006
【図６】
0003564882.tif 000007
【図７】
0003564882.tif 000008
【図８】
0003564882.tif 000009
【図９】
0003564882.tif 000010
【図１０】
0003564882.tif 000011
【図１１】
0003564882.tif 000012
【図１２】
0003564882.tif 000013